(57)【特許請求の範囲】
【請求項１】
乗りかご内と各階床の乗場のそれぞれに表示装置を備えたエレベータシステムの表示制御装置において、
上記各階床の乗場呼びボタンを無効化して輝度調整モードを設定するモード設定手段と、
このモード設定手段によって輝度調整モードが設定された状態で、上記乗りかご内に設けられた第１のボタンの操作によって上記乗りかご内の表示装置の輝度を調整する第１の輝度調整手段と、
上記モード設定手段によって輝度調整モードが設定された状態で、上記乗りかご内に設けられた第２のボタンの操作によって上記各階床の表示装置の輝度を調整する第２の輝度調整手段と、
上記第１または第２の輝度調整手段によって輝度調整された表示装置を確認可能に表示する表示処理手段と
を具備したことを特徴とするエレベータシステムの表示制御装置。
【請求項２】
上記第１のボタンとは、戸開ボタンであり、
上記第１の輝度調整手段は、上記戸開ボタンの操作によって上記乗りかご内の表示装置の輝度を調整し、
上記表示処理手段は、当該表示装置の輝度調整後に上記戸開ボタンを他のボタンと区別にして表示することを特徴とする請求項１記載のエレベータシステムの表示制御装置。
【請求項３】
上記第２のボタンとは、上記乗りかごの停止階に対応した行先階ボタンであり、
上記第２の輝度調整手段は、上記行先階ボタンの操作によって上記乗りかごの停止階に設置された表示装置の輝度を調整し、
上記表示処理手段は、当該表示装置の輝度調整後に上記行先階ボタンを他のボタンと区別にして表示することを特徴とする請求項１記載のエレベータシステムの表示制御装置。
【請求項４】
上記第２の輝度調整手段は、上記乗りかごの停止階以外の行先階ボタンが操作された場合には、その行先階ボタンによって指定された階床の表示装置を調整対象とし、上記乗りかごを当該階床まで移動させることを特徴とする請求項３記載のエレベータシステムの表示制御装置。
【請求項５】
上記各階床の乗場に設置された表示装置の調整状態を記録する調整状態テーブル手段を備え、
上記表示処理手段は、上記輝度調整モードが解除されたときに、上記調整状態テーブル手段を参照して未調整の表示装置を検出して、その旨のメッセージを上記乗りかご内の表示装置に表示することを特徴とする請求項１記載のエレベータシステムの表示制御装置。
【請求項６】
上記調整状態テーブル手段は、上記乗りかご内に設置された表示装置を含めて、これらの表示装置の調整状態を記録することを特徴とする請求項５記載のエレベータシステムの表示制御装置。
【請求項７】
上記各表示装置は、バックライト付きの液晶表示装置からなり、
上記第１および第２の輝度調整手段は、上記バックライトの光量を調整することを特徴とする請求項１記載のエレベータシステムの表示制御装置。
【発明の詳細な説明】
【技術分野】
【０００１】
本発明は、各階床の乗場や乗りかご内に設置された表示装置の輝度調整を行うエレベータシステムの表示制御装置に関する。
【背景技術】
【０００２】
エレベータの各階床の乗場や乗りかご内には表示装置が設置されており、現在のかご位置（階床数）などを表示している。これらの表示装置として、今までＬＥＤ（light emitting diode）が用いられていたが、近年では、かご位置だけでなく、様々な情報を詳細に表示するために、液晶表示装置が用いられることが多くなった。
【０００３】
しかし、液晶表示装置は周囲の明るさに影響を受けやすいため、各階床の明るさに応じて輝度調整が不可欠であり、点検員が定期的に点検して輝度調整を行っている。この輝度調整に関し、例えば特許文献１では、乗場やかご内のボタンを利用して表示装置の輝度を調整することが開示されている。
【先行技術文献】
【特許文献】
【０００４】
【特許文献１】特開平１０−３３３６２８号公報
【発明の概要】
【発明が解決しようとする課題】
【０００５】
しかしながら、乗場やかご内のボタンを利用して輝度調整を行う構成とした場合に、エレベータを利用する一般の人が誤って操作してしまう可能性がある。特に、各階床の乗場には、一般の利用者が多数往来しているため、乗場呼びボタンを押してしまう可能性は高い。
【０００６】
この場合、上記特許文献１では、輝度調整中は乗場呼びボタンの長押しによって通常操作との区別を付けているが、一般の利用者が長押し操作することも考えられるため、勝手に輝度を変更されてしまう問題がある。
【０００７】
本発明は上記のような点に鑑みなされたもので、一般の利用者による誤操作を防いで、乗場やかご内の表示装置の輝度を容易に調整することのできるエレベータシステムの表示制御装置を提供することを目的とする。
【課題を解決するための手段】
【０００８】
本発明は、乗りかご内と各階床の乗場のそれぞれに表示装置を備えたエレベータシステムの表示制御装置において、上記各階床の乗場呼びボタンを無効化して輝度調整モードを設定するモード設定手段と、このモード設定手段によって輝度調整モードが設定された状態で、上記乗りかご内に設けられた第１のボタンの操作によって上記乗りかご内の表示装置の輝度を調整する第１の輝度調整手段と、上記モード設定手段によって輝度調整モードが設定された状態で、上記乗りかご内に設けられた第２のボタンの操作によって上記各階床の表示装置の輝度を階床単位で調整する第２の輝度調整手段と、上記第１または第２の輝度調整手段によって輝度調整された表示装置を確認可能に表示する表示処理手段とを具備したことを特徴とする。
【発明の効果】
【００１０】
本発明によれば、各階の乗場呼びボタンを無効化した状態で、乗りかご内のボタン操作により各表示装置の輝度を変更することにより、一般の利用者による誤操作を防いで、乗場やかご内の表示装置の輝度を容易に調整することができる。
【図面の簡単な説明】
【００１２】
【図１】図１は本発明の第１の実施形態に係るエレベータシステムの構成を示す図である。
【図２】図２は同実施形態におけるエレベータ制御装置に設けられた乗場用輝度データテーブルの一例を示す図である。
【図３】図３は同実施形態におけるエレベータ制御装置に設けられた調整状態テーブルの一例を示す図である。
【図４】図４は同実施形態における乗りかごの構成を示す図である。
【図５】図５は同実施形態における乗場の構成を示す図である。
【図６】図６は同実施形態におけるエレベータ制御装置の機能構成を示すブロック図である。
【図７】図７は同実施形態におけるエレベータ制御装置の輝度調整時の処理動作を示すフローチャートである。
【図８】図８は同実施形態における乗りかご内の操作パネルのボタン表示例を示す図である。
【図９】図９は同実施形態における乗りかご内の液晶表示装置に表示される未調整メッセージの一例を示す図である。
【図１０】図１０は同実施形態の変形例として乗りかご内の液晶表示装置を含めて調整済みと未調整とで区別表示とその調整状態の記録を行う場合の処理を部分的に示すフローチャートである。
【図１１】図１１は同実施形態の変形例として輝度調整を行う階床が予め決められている場合の乗りかご内の操作パネルのボタン表示例を示す図である。
【図１２】図１２は本発明の第２の実施形態に係るエレベータシステムの構成を示す図である。
【図１３】図１３は同実施形態におけるエレベータ制御装置に設けられた個別輝度データテーブルの一例を示す図である。
【図１４】図１４は同実施形態におけるエレベータ制御装置に設けられた共通輝度データテーブルの一例を示す図である。
【図１５】図１５は同実施形態におけるエレベータ制御装置の輝度調整時の処理動作を示すフローチャートである。
【発明を実施するための形態】
【００１３】
以下、図面を参照して本発明の実施形態を説明する。
【００１４】
（第１の実施形態）
図１は本発明の第１の実施形態に係るエレベータシステムの構成を示す図である。
【００１５】
本システムは、エレベータ制御装置１０を備える。エレベータ制御装置１０は、ＣＰＵ、ＲＯＭ、ＲＡＭ等を搭載したコンピュータからなり、エレベータ全体の制御を行う。本実施形態において、このエレベータ制御装置１０は、各表示装置の輝度を調整するための表示制御装置として用いられる。各表示装置とは、乗りかご２０内に設置された液晶表示装置２１と各階床の乗場３０に設置された液晶表示装置３１のことである。
【００１６】
ここで、エレベータ制御装置１０には、各表示装置の輝度調整に関わる構成要素として、かご用輝度データテーブル１１、乗場用輝度データテーブル１２、調整状態テーブル１３が設けられている。
【００１７】
かご用輝度データテーブル１１は、乗りかご２０内の液晶表示装置２１の輝度データを記憶している。乗場用輝度データテーブル１２は、各階床の乗場３０に設置された液晶表示装置３１の輝度データを記憶している。図２に乗場用輝度データテーブル１２の一例を示す。図２の例では、１階：輝度レベルＬ５、２階と３階は輝度レベルＬ３、４階は輝度レベルＬ４…といったように、各階床毎に輝度レベルが個別に設定されている。
【００１８】
調整状態テーブル１３は、各階床の液晶表示装置３１に対する輝度調整の状態を記録しておくためのテーブルである。図３に調整状態テーブル１３の一例を示す。図３の例では、１階：１、２階と３階と５階は０…といったように、各階床毎に調整状態フラグＦが設定されている。Ｆ＝１は調整済み、Ｆ＝０は未調整を表している。
【００１９】
乗りかご２０には、バックライト付きの液晶表示装置２１とその表示コントローラ２２が設けられている。また、乗りかご２０内の操作ボタンとして、行先階ボタン２３、戸開ボタン２４、戸閉ボタン２５が設けられている。
【００２０】
図４は乗りかご２０の構成を示す図である。
【００２１】
乗りかご２０の乗降口にかごドア２６が開閉自在に設けられており、そのかごドア２６の近くに液晶表示装置２１、行先階ボタン２３、戸開ボタン２４、戸閉ボタン２５が配設されている。
【００２２】
液晶表示装置２１は、乗りかご２０に乗車している利用者に対して、現在のかご位置（階床数）や走行方向などを表示する。行先階ボタン２３は、行先階を指定するためのボタンであり、各階床に対応して設けられている。戸開ボタン２４は、かごドア２６の戸開を指示するためのボタンである。戸閉ボタン２５は、かごドア２６の戸閉を指示するためのボタンである。これらのボタン２３，２４，２５は、通常、押下式のスイッチボタンで構成される。
【００２３】
また、乗場３０には、バックライト付きの液晶表示装置３１とその表示コントローラ３２が設けられ、操作ボタンとして乗場呼びボタン３３が設けられている。なお、図１の例では、１階床分の乗場３０の構成しか図示されていないが、実際には各階床毎に同様の構成を有する。
【００２４】
図５は乗場３０の構成を示す図である。
【００２５】
乗場３０には、乗りかご２０の着床位置に乗場ドア３４が開閉自在に設けられており、その乗場ドア３４の近くに液晶表示装置３１、乗場呼びボタン３３が配設されている。
【００２６】
液晶表示装置３１は、乗場３０で待機している利用者に対し、現在のかご位置（階床数）や走行方向などを表示する。乗場呼びボタン３３は、乗場呼びを登録するためのボタンであり、通常、押下式のスイッチボタンで構成される。
【００２７】
また、特定の階（通常、最上階）には、メンテナンス用ユニット３５が乗場呼びボタン３３の操作パネルの下に取り付けられている。このメンテナンス用ユニット３５には、輝度調整モードに切り換えるための図示せぬスイッチが設けられている。点検員は、そのスイッチを操作することで、輝度調整モードへの切り換えを行う。
【００２８】
なお、「乗場呼び」とは、各階床の乗場呼びボタン３３の操作によって登録される呼びの信号のことであり、登録階と行先方向の情報が含まれる。エレベータ制御装置１０では、この乗場呼びの信号を受け付けると、乗りかご２０をその登録階に応答させる。
【００２９】
これに対し、「かご呼び」とは、かご内に設けられた図示せぬ行先階ボタン２３の操作によって登録される呼びの信号のことであり、行先階の情報が含まれる。エレベータ制御装置１０では、このかご呼びの信号を受け付けると、乗りかご２０をそのかご呼びにて指定された行先階に移動させる。
【００３０】
図６はエレベータ制御装置１０の機能構成を示すブロック図である。
【００３１】
エレベータ制御装置１０は、輝度調整に関する機能として、モード設定部４１と、乗りかご用輝度調整部４２と、乗場用輝度調整部４３と、表示処理部４４とを備える。
【００３２】
モード設定部４１は、各階床の乗場呼びボタン３３を無効化して輝度調整モードを設定する。乗りかご用輝度調整部４２は、輝度調整モードが設定された状態で、乗りかご２０内の戸開ボタン２４の操作によって液晶表示装置２１の輝度を調整する。乗場用輝度調整部４３は、輝度調整モードが設定された状態で、乗りかご２０内の行先階ボタン２３の操作によって各階床の液晶表示装置３１の輝度を調整する。
【００３３】
表示処理部４４は、乗りかご用輝度調整部４２または乗場用輝度調整部４３によって輝度調整された表示装置を確認可能に表示するための処理を行う。「確認可能に表示する」とは、具体的には、その表示装置の輝度調整に用いられたかご内のボタン（戸開ボタン２４または行先階ボタン２３）を他のボタンと区別して表示することである。
【００３４】
次に、本システムによる輝度調整の動作について説明する。
【００３５】
図７は第１の実施形態におけるエレベータ制御装置１０の輝度調整時の処理動作を示すフローチャートである。
【００３６】
点検員は、メンテナンス用ユニット３５上の図示せぬスイッチを操作して、エレベータの運転モードを輝度調整モードに切り換える。エレベータ制御装置１０は、その切り換え信号を受けて輝度調整モードを設定することにより（ステップＳ１１のＹｅｓ）、以下のような処理を実行する。
【００３７】
すなわち、エレベータ制御装置１０は、まず、各階床の乗場呼びボタン３３を無効化する（ステップＳ１２）。「乗場呼びボタン３３を無効化する」とは、乗場呼びボタン３３が押されても、エレベータ制御装置１０側で乗場呼びの信号を受け付けないようにすることである。これにより、輝度調整中に一般の利用者が乗場呼びボタン３３を誤操作することを防ぐことができる。なお、このときに、例えば「現在、調整中のため、呼びボタンを使用できません」といったようなメッセージを各階床の液晶表示装置３１に表示してもよい。
【００３８】
続いて、エレベータ制御装置１０は、乗りかご２０を所定の階（通常、メンテナンス用ユニット３５が設置された階＝最上階）まで移動させ（ステップＳ１３）、そこで戸開して待機させる（ステップＳ１４）。
【００３９】
輝度調整は、乗りかご２０を戸開させた状態で、点検員が乗りかご２０内の特定のボタンを操作することで行う。本実施形態では、「特定のボタン」として、行先階ボタン２３と戸開ボタン２４が定められている。
【００４０】
ここで、エレベータ制御装置１０は、戸開ボタン２４が操作されたことを検出すると（ステップＳ１６のＹｅｓ）、乗りかご２０内に設置された液晶表示装置２１の輝度調整指示があったものと判断し（ステップＳ１７）、その液晶表示装置２１の輝度データを変更する（ステップＳ１８）。
【００４１】
具体的には、戸開ボタン２４が押下されている間、液晶表示装置２１の輝度をサイクリックに変化させ、戸開ボタン２４の押下が解除されたときのタイミングで、現在の輝度を確定する。より詳しくは、戸開ボタン２４が押下されている間、液晶表示装置２１に設けられた図示せぬバックライトの光量のレベルを＋１ずつ周期的に変えていき、戸開ボタン２４の押下が解除されたときに、その光量のレベルを確定する。
【００４２】
確定された輝度のデータはエレベータ制御装置１０のかご用輝度データテーブル１１に記憶される。以後、エレベータ制御装置１０は、このかご用輝度データテーブル１１に記憶された輝度データに基づいて液晶表示装置２１を駆動する。
【００４３】
一方、エレベータ制御装置１０は、行先階ボタン２３が操作されたことを検出すると（ステップＳ１５のＹｅｓ）、その行先階ボタン２３の指定階が現在のかご停止階と同じであるか否かを判断する（ステップＳ１９）。
【００４４】
行先階ボタン２３の指定階が現在のかご停止階と同じであった場合には（ステップＳ１９のＹｅｓ）、エレベータ制御装置１０は、現在のかご停止階の乗場３０に設置されている液晶表示装置３１の輝度調整指示があったものと判断し（ステップＳ２０）、その液晶表示装置３１の輝度データを変更する（ステップＳ２１）。
【００４５】
すなわち、例えば１階に乗りかご２０が停止していたとすると、１階の行先階ボタン２３が押された場合に、その１階の乗場３０に設置されている液晶表示装置３１を調整対象として、当該行先階ボタン２３の操作に従って輝度調整を行う。
【００４６】
この場合、上記液晶表示装置２１の輝度調整と同様に、１階の行先階ボタン２３が押下されている間、液晶表示装置３１の輝度をサイクリックに変化させ、１階の行先階ボタン２３の押下が解除されたときのタイミングで、現在の輝度を確定する。より詳しくは、１階の行先階ボタン２３が押下されている間、液晶表示装置３１に設けられた図示せぬバックライトの光量のレベルを＋１ずつ周期的に変えていき、１階の行先階ボタン２３の押下が解除されたときに、その光量のレベルを確定する。
【００４７】
なお、かご内にある液晶表示装置２１と違って、乗場３０の液晶表示装置３１はかご外にあるので、点検員２人が組みになり、１人がかご内でボタン操作し、もう１人が乗場３０で液晶表示装置３１の輝度を確認しながら指示を出すといった作業が好ましい。
【００４８】
確定された輝度のデータはエレベータ制御装置１０の乗場用輝度データテーブル１２に当該階床と関連付けられて記憶される（図２参照）。以後、エレベータ制御装置１０は、この乗場用輝度データ記憶部１２に記憶された輝度データに基づいて当該階床の液晶表示装置３１を駆動する。
【００４９】
ここで、ある階床の液晶表示装置３１の輝度が調整されると、エレベータ制御装置１０は、図３に示す調整状態テーブル１３の当該階床の調整状態フラグＦを“１”にセットする（ステップＳ２２）。また、保守員が調整済みであることを確認できるようにするため、エレベータ制御装置１０は、かご内の操作パネルにおける当該階床の行先階ボタン２３を他のボタンと区別して表示する（ステップＳ２３）。
【００５０】
一方、点検員が他の階床の輝度調整を行うために、他の階床の行先階ボタン２３を押下すると、エレベータ制御装置１０は、現在のかご停止階以外の階床の行先階ボタン２３が押下されたものと判断して（ステップＳ１９）、乗りかご２０を戸閉して、その行先階ボタン２３で指定された階床へ移動させる（ステップＳ２４）。
【００５１】
乗りかご２０の移動後は、上記同様にして、その階床の行先階ボタン２３を引き続き操作下すれば、その階床の液晶表示装置３１の輝度調整を行うことができる。例えば１階から２階へ移動したとすると、その２階の行先階ボタン２３の操作によって、２階の液晶表示装置３１の輝度を調整することができる。
【００５２】
ここで、上記ステップＳ２３で説明したように、輝度調整後に、該当する階床の行先階ボタン２３が他のボタンと区別して表示される。図８にその具体例を示す。
【００５３】
図８は乗りかご２０内の操作パネルのボタン表示例を示す図である。図中の２７は操作パネルであり、そこに各階床（ここでは１階〜４階）の行先階ボタン２３ａ〜２３ｄが配列されている。
【００５４】
輝度調整モードが設定されたとき（初期時）、全階床の行先階ボタン２３が消灯状態にある。この状態で、例えば１階の行先階ボタン２３ａを押下して１階の液晶表示装置３１の輝度を調整すると、その行先階ボタン２３ａが点滅して、輝度調整済みであることが明示される。
【００５５】
一方、点検員が他の階床の輝度調整を行うために、例えば２階の行先階ボタン２３ｂを押下すると、その行先階ボタン２３ｂが通常通り点灯する。この場合、乗りかご２０が２階に着床したときに行先階ボタン２３ｂが消灯する。そして、点検員が再び行先階ボタン２３ｂを押下して２階の液晶表示装置３１の輝度を調整すれば、その行先階ボタン２３ａが点滅して、輝度調整済みであることが明示される。
【００５６】
また、図８の例では、３階の行先階ボタン２３ｃと４階の行先階ボタン２３ｄは消灯状態であり、これは輝度未調整であることを表している。
【００５７】
このように、各階床の輝度調整状態に応じてかご内のボタン表示を変えることで、どの階の輝度調整を行ったのかを一目で把握でき、調整漏れを防ぐことができる。
【００５８】
なお、図８の例では、最初に全ての階床の行先階ボタン２３ａ〜２３ｄを消灯した状態で、輝度調整後に該当するボタンを点滅させるようにしたが、例えば最初に全ての階床のボタン２３ａ〜２３ｄを点灯しておき、輝度調整後に該当するボタンを消灯あるいは点滅するような構成であってもよい。さらに、行先階ボタン２３ａ〜２３ｄが色表示が可能なボタンであれば、調整済みと未調整とで色分けすることでもよい。要するに、各階床の行先階ボタン２３ａ〜２３ｄを調整済みと未調整とで区別表示できれば、どのような表示形態であってもよい。
【００５９】
図７のフローチャートに戻って、点検員が各階床の輝度調整作業を終え、上記メンテナンス用ユニット３５上の図示せぬスイッチを操作して輝度調整モードを解除すると（ステップＳ２５のＹｅｓ）、エレベータ制御装置１０は、調整状態テーブル１３を参照して、未調整階の有無を調べる（ステップＳ２６）。
【００６０】
ここで、未調整階があった場合、つまり、調整状態テーブル１３に調整状態フラグＦが“０”の階床が存在すれば（ステップＳ２６のＹｅｓ）、エレベータ制御装置１０は、その旨の未調整メッセージを乗りかご２０内の液晶表示装置２１に表示する（ステップＳ２７）。
【００６１】
図９は乗りかご２０内の液晶表示装置２１に表示される未調整メッセージの一例を示す図である。
【００６２】
例えば、４階の液晶表示装置３１が未調整であったとすると、例えば「４階が未調整です」といった未調整メッセージ５１が乗りかご２０内の液晶表示装置２１に表示される。未調整メッセージ５１を乗りかご２０内に表示するのは、点検員がその中にいて各階床の調整有無を確認し易いからである。
【００６３】
この未調整メッセージ５１の表示により、点検員は未調整階があったことを知ることができる。この場合、再び輝度調整モードにして、その未調整階に乗りかご２０を移動されば、上記同様にして輝度調整を行うことができる。
【００６４】
なお、未調整メッセージ５１に加え、さらに各階床の調整結果５２を表示することでもよい。これにより、各階床でどのような輝度に調整したのかを把握することができる。また、この調整結果５２は、未調整階の有無に関係なく表示することでもよい。
【００６５】
このように、本発明の第１の実施形態によれば、各階床の乗場呼びボタン３３を無効化し、乗りかご２０内の特定のボタン（行先階ボタン２３と戸開ボタン２４）の操作により、各表示装置の輝度を変更するようにしたので、輝度調整中に一般の利用者が乗場呼びボタン３３を誤操作することを防いで、乗りかご２０内で点検員の操作のみによって輝度調整を容易に行うことができる。
【００６６】
また、輝度調整中は各階床の行先階ボタン２３が調整済みと未調整とで区別表示されるので、点検員はそのボタン表示を見ながら、各階床毎に調整有無を確認して作業を進めることができる。
【００６７】
さらに、調整作業後に調整状態テーブル１３を参照して未調整の液晶表示装置３１があれば、その旨のメッセージが表示されるので、調整漏れを防ぐことができる。
【００６８】
（変形例）
なお、上記第１の実施形態では、各階床の液晶表示装置３１に対してのみ、調整済みと未調整との区別表示と、その調整状態の記録を行う構成としたが、さらに、乗りかご２０内の液晶表示装置２１を含めて行うことでもよい。これは、調整状態テーブル１３に乗りかご２０内の液晶表示装置２１の調整状態を示すフラグＦを追加し、図１０に示すような処理を行うことで実現できる。
【００６９】
すなわち、エレベータ制御装置１０は、戸開ボタン２４が操作されたことを検出すると（ステップＳ１６のＹｅｓ）、乗りかご２０内に設置された液晶表示装置２１の輝度調整指示があったものと判断し（ステップＳ１７）、その液晶表示装置２１の輝度データを変更する（ステップＳ１８）。
【００７０】
ここで、液晶表示装置２１の輝度調整が行われた場合に、エレベータ制御装置１０は、調整状態テーブル１３の液晶表示装置２１に対応した調整状態フラグＦを“１”にセット（ステップＡ１１）。また、エレベータ制御装置１０は、かご内の操作パネルにおける戸開ボタン２４を点滅させて、輝度調整済みであることを明示する（ステップＡ１２）。
【００７１】
このようにすれば、点検員は乗りかご２０内の液晶表示装置２１に対する調整有無についても容易に確認することができる。なお、図７のステップＳ２６，Ｓ２７において、乗りかご２０内の液晶表示装置２１の輝度調整が行われていない場合には、その旨のメッセージが表示される。よって、乗場３０の液晶表示装置３１だけでなく、乗りかご２０内の液晶表示装置２１についても、調整忘れを防ぐことができる。
【００７２】
また、上記第１の実施形態では、全階床の液晶表示装置３１を輝度調整する場合を想定したが、例えば輝度調整を行う階床が予め決められている場合には、乗りかご２０内のボタンを特殊操作することにより、その調整対象階を除く他の階床を調整済みとして設定しておくこともできる。上記特殊操作としては、具体的には「戸開ボタン２４を押下しながら行先階ボタン２３を押下する」といった操作である。
【００７３】
図１１を例にして具体的に説明すると、例えば奇数階（１階と３階）のみ輝度調整を行う場合において、点検員は１階の乗場３０にて乗りかご２０を戸開した状態で乗り込み、戸開ボタン２４を押下しながら、調整対象外となる偶数階（２階と４階）の行先階ボタン２３ｂ，２３ｃを押下する。これにより、行先階ボタン２３ｂ，２３ｃが点滅して調整済みとして表示されると共に、調整状態テーブル１３の該当する階床の調整状態フラグＦが“１”にセットされて調整済みとして設定される。
【００７４】
このように、輝度調整を行う階床が予め決められている場合には、その調整対象階を除く他の階床を調整済みとして設定しておくことで、調整対象階のみに乗りかご２０を移動させながら効率的に輝度調整を行うことができる。
【００７５】
（第２の実施形態）
次に、本発明の第２の実施形態について説明する。
【００７６】
上記第１の実施形態では、かご内でのボタン操作により各表示装置の輝度調整を行う構成としたが、第２の実施形態では、保守端末を用いて各表示装置の輝度調整を行うようにしたものである。
【００７７】
図１２は本発明の第２の実施形態に係るエレベータシステムの構成を示す図である。なお、上記第１の実施形態における図１の構成と同じ部分には同一符号を付して、その説明を省略するものとする。
【００７８】
第２の実施形態では、保守端末６０がエレベータ制御装置１０に接続されており、そのエレベータ制御装置１０には個別輝度データテーブル１４と共通輝度データテーブル１５とが設けられている。
【００７９】
保守端末６０は、点検員が携帯する保守点検用の端末装置である。点検員は、この保守端末６０をエレベータ制御装置１０に接続することにより、各表示装置の輝度調整を行うことができる。各表示装置とは、乗りかご２０内に設置された液晶表示装置２１と、各階床の乗場３０に設置された液晶表示装置３１のことである。
【００８０】
なお、保守端末６０とエレベータ制御装置１０との接続形態は、無線であっても有線であってもよく、本発明ではその接続形態に特に限定されるものではない。
【００８１】
個別輝度データテーブル１４は、各表示装置の輝度データを個別に設定するためのテーブルである。図１３に個別輝度データテーブル１４の一例を示す。図１３の例では、１階：輝度レベルＬ５、２階と３階は輝度レベルＬ３、４階は輝度レベルＬ４…、また、かご内：輝度レベルＬ２といったように、各階床の液晶表示装置３１と乗りかご２０内の液晶表示装置２１の輝度レベルが個別に設定されている。
【００８２】
共通輝度データテーブル１５は、各表示装置の輝度データを共通に設定するためのテーブルである。この場合、全ての表示装置を同じ輝度データに設定することでも、グループ単位に分けて設定することでもよい。図１４に共通輝度データテーブル１５の一例を示す。図１４の例では、奇数階と偶数階、そして、かご内の３つのグループＧ１，Ｇ２，Ｇ３に分け、これらのグループＧ１，Ｇ２，Ｇ３に対して輝度レベルＬ５、Ｌ３、Ｌ２が共通に設定されている。
【００８３】
このような構成において、点検員が携帯する保守端末６０をエレベータ制御装置１０に接続した状態で、そのエレベータ制御装置１０に設けられた個別輝度データテーブル１４または共通輝度データテーブル１５の内容を任意に変更することができる。変更後、保守端末６０から輝度調整のコマンドを送る。その際、個別または共通で調整するのかを指定することにより、以下のような処理が実行される。
【００８４】
図１５は第２の実施形態におけるエレベータ制御装置１０の輝度調整時の処理動作を示すフローチャートである。
【００８５】
エレベータ制御装置１０は、保守端末６０からのコマンドを受けて、エレベータの運転モードを輝度調整モードに設定すると（ステップＢ１１のＹｅｓ）、個別調整であるのか共通調整であるのかを判断する（ステップＢ１２）。
【００８６】
ここで、個別調整の場合には（ステップＢ１２のＹｅｓ）、エレベータ制御装置１０は、個別輝度データテーブル１４に記憶された輝度データに基づいて、各階床の液晶表示装置３１と乗りかご２０内の液晶表示装置２１の輝度を調整する（ステップＢ１３）。この場合、各表示装置毎に個別に輝度レベルが設定されることになる。
【００８７】
一方、共通調整の場合には（ステップＢ１２のＮｏ）、エレベータ制御装置１０は、共通輝度データテーブル１５に記憶された輝度データに基づいて、各階床の液晶表示装置３１と乗りかご２０内の液晶表示装置２１の輝度をグループ単位で調整する（ステップＢ１３）。図１４の例であれば、グループＧ１に属する奇数階の液晶表示装置３１に対しては輝度レベルＬ５、グループＧ２に属する偶数階の液晶表示装置３１に対しては輝度レベルＬ３、そして、グループＧ３に属する乗りかご２０内の液晶表示装置２１に対しては輝度レベルＬ２に設定されることになる。
【００８８】
なお、輝度調整モードが設定されている状態で、保守端末６０により特定のコマンドをエレベータ制御装置１０に送信することで、未設定の表示装置の輝度をすべて確定することもできる。
【００８９】
このように、本発明の第２の実施形態によれば、一般の利用者に気にすることなく、点検員が保守端末６０を用いて各表示装置の輝度を簡単に調整することができる。また、建物の環境に応じて、各表示装置の輝度を個別または共通に調整して、利用者が見やすい表示状態を維持することができる。
【００９０】
また、上記各実施形態では、液晶表示装置の輝度を調整する場合を例にして説明したが、例えばＬＥＤなどの他の表示装置の輝度を調整する場合も同様に適用可能である。ＬＥＤの場合には、ＬＥＤの発光量を調整することになる。
【００９１】
要するに、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９２】
１０…エレベータ制御装置、１１…かご用輝度データテーブル、１２…乗場用輝度データテーブル、１３…調整状態テーブル、１４…個別輝度データテーブル、１５…共通輝度データテーブル、２０…乗りかご、２１…液晶表示装置、２２…表示コントローラ、２３，２３ａ〜２３ｄ…行先階ボタン、２４…戸開ボタン、２５…戸閉ボタン、２６…かごドア、２７…操作パネル、３０…乗場、３１…液晶表示装置、３２…表示コントローラ、３３…乗場呼びボタン、３４…乗場ドア、３５…メンテナンス用ユニット、４１…モード設定部、４２…乗りかご用輝度調整部、４３…乗場用輝度調整部、４４…表示処理部、５１…未調整メッセージ、５２…調整結果、６０…保守端末。
【図１】
0005566702.tif 000002
【図２】
0005566702.tif 000003
【図３】
0005566702.tif 000004
【図４】
0005566702.tif 000005
【図５】
0005566702.tif 000006
【図６】
0005566702.tif 000007
【図７】
0005566702.tif 000008
【図８】
0005566702.tif 000009
【図９】
0005566702.tif 000010
【図１０】
0005566702.tif 000011
【図１１】
0005566702.tif 000012
【図１２】
0005566702.tif 000013
【図１３】
0005566702.tif 000014
【図１４】
0005566702.tif 000015
【図１５】
0005566702.tif 000016